(57)【要約】【課題】  幼児を抱いて車両の助手席に搭乗した人が車両の制動時に受ける衝撃を体験することができるタイヤ体験装置等を提供する。【解決手段】  幼児を抱いて車両の助手席または後部座席に搭乗した人が該車両の制動時に受ける衝撃を体験することができるタイヤ体験装置であって、車両１０に対し、路面上に配設され該車両１０の走行開始位置を指示しかつ規定するスタート位置指示部材１と、前記路面上に配設され走行中の前記車両に制動開始位置を指示しかつ規定する制動開始位置指示部材２と、前記車両の助手席または後部座席に搭乗した人に抱かせるための幼児型人形とを有する。【選択図】        図１
2006200996.tif 000002
【特許請求の範囲】
【請求項１】
幼児を抱いて車両の助手席または後部座席に搭乗した人が該車両の制動時に受ける衝撃を体験することができるタイヤ性能体験装置であって、
車両に対し、路面上に配設され該車両の走行開始位置を指示しかつ規定するスタート位置指示部材と、前記路面上に配設され走行中の前記車両に制動開始位置を指示しかつ規定する制動開始位置指示部材と、前記車両の助手席または後部座席に搭乗した人に抱かせるための幼児型人形とを有することを特徴とするタイヤ性能体験装置。
【請求項２】
新品タイヤと摩耗タイヤの制動性の違いを体験することができるタイヤ性能体験装置であって、
新品タイヤを装着した車両と摩耗タイヤを装着した車両に対し、路面上に配設され該車両の走行開始位置を指示しかつ規定するスタート位置指示部材と、前記路面上に配設され走行中の前記車両に制動開始位置を指示しかつ規定する制動開始位置指示部材とを有し、前記車両の各々がＧセンサーを備え、該Ｇセンサーに基づき計測された制動時の各車両の制動距離および両車両の制動距離差を表示する表示手段が前記路面に沿って設けられていることを特徴とするタイヤ性能体験装置。
【請求項３】
タイヤの種類により旋回時のスキッド特性が異なることを体験することができるタイヤ性能体験装置であって、
種類の異なるタイヤを装着した各車両を走行させるスキッドパッド路面と、該スキッドパッド路面に対する入口位置を指示しかつ規定する入口位置指示部材と、前記スキッドパッド路面からの出口位置を指示しかつ規定する出口位置指示部材と、走行車両のスリップを検出するスリップ検出手段と、同検出されたスリップ状態を表示する表示装置とを有することを特徴とするタイヤ性能体験装置。
【請求項４】
適正空気圧タイヤと低空気圧タイヤとの違いを体験することができるタイヤ性能体験装置であって、
適正空気圧タイヤを装着した車両と低空気圧タイヤを装着した車両に対し、路面上に配設され該車両の走行開始位置を指示しかつ規定するスタート位置指示部材と、前記路面上に配設され走行中の前記車両に制動開始位置を指示しかつ規定する制動開始位置指示部材と、前記路面上に配設されスラローム走行を指示しかつ規定するスラローム走行指示部材と、前記路面上に配設され８の字走行を指示しかつ規定する８の字走行指示部材と、前記路面上に配設され走行中の前記車両に制動開始位置を指示しかつ規定する制動開始位置指示部材とを順次有することを特徴とするタイヤ性能体験装置。
【発明の詳細な説明】
【技術分野】
【０００１】
本発明は、タイヤ性能体験装置に関し、詳しくは  幼児を抱いて車両の助手席に搭乗した人が車両の制動時に受ける衝撃を体験することができる等、様々な状況下におけるタイヤを体験することができる各種装置に関する。
【背景技術】
【０００２】
従来より、タイヤの操縦安定性等の各種性能を評価するために試験タイヤを車両に装着し、テストドライバーにより各種コースを走行させ、そのテストドライバーによるフィーリングにより各種性能評価することは一般に行われていた。
【０００３】
また、例えば、タイヤのハンドリング特性を特徴付けるシステムとして、選択したタイヤをテスト車両に取付け、タイヤ−テスト車両アッセンブリー（組立体）に所定の運動を行わせ、この所定の運動によって評点を与えるタイヤのハンドリング特性の評価方法が特許文献１において提案されている。
【特許文献１】特開２００３−３２２５９２号公報
【発明の開示】
【発明が解決しようとする課題】
【０００４】
しかしながら、テストドライバーによる各種性能のフィーリング評価や前記特許文献１記載のハンドリング評価方法は、いずれも専門のドライバーによる評価であり、一般のドライバーによるものではなかった。
【０００５】
一般のドライバーや車両の助手席に搭乗した人がタイヤの様々な状況下における走行を体験することができれば、その体験が実際のドライビング時に役に立ち、タイヤに起因する事故を未然に防ぐことができると考えられる。しかし、これまで一般のドライバーがそのような様々体験をドライビングレッスン等において系統的にすることができるシステムは存在しなかった。
【０００６】
そこで本発明の第１の目的は、幼児を抱いて車両の助手席または後部座席に搭乗した人が車両の制動時に受ける衝撃を体験することができるタイヤ性能体験装置を提供することにある。
【０００７】
本発明の第２の目的は、新品タイヤと摩耗タイヤの制動性を体験することができるタイヤ性能体験装置を提供することにある。
【０００８】
本発明の第３の目的は、タイヤの種類により旋回時のスキッド特性が異なることを体験することができるタイヤ性能体験装置を提供することにある。
【０００９】
本発明の第４の目的は、適正空気圧タイヤと低空気圧タイヤとの違いを体験することができるタイヤ性能体験装置を提供することにある。
【課題を解決するための手段】
【００１０】
本発明者は、前記課題を解決するために鋭意検討した結果、以下の構成とすることにより前記各目的を達成し得ることを見出し、本発明を完成するに至った。  
【００１１】
即ち、本第１発明のタイヤ性能体験装置は、幼児を抱いて車両の助手席または後部座席に搭乗した人が該車両の制動時に受ける衝撃を体験することができるタイヤ性能体験装置であって、
車両に対し、路面上に配設され該車両の走行開始位置を指示しかつ規定するスタート位置指示部材と、前記路面上に配設され走行中の前記車両に制動開始位置を指示しかつ規定する制動開始位置指示部材と、前記車両の助手席または後部座席に搭乗した人に抱かせるための幼児型人形とを有することを特徴とするものである。
【００１２】
本第２発明のタイヤ性能体験装置は、新品タイヤと摩耗タイヤの制動性の違いを体験することができるタイヤ性能体験装置であって、
新品タイヤを装着した車両と摩耗タイヤを装着した車両に対し、路面上に配設され該車両の走行開始位置を指示しかつ規定するスタート位置指示部材と、前記路面上に配設され走行中の前記車両に制動開始位置を指示しかつ規定する制動開始位置指示部材とを有し、前記車両の各々がＧセンサーを備え、該Ｇセンサーに基づき計測された制動時の各車両の制動距離および両車両の制動距離差を表示する表示手段が前記路面に沿って設けられていることを特徴とするものである。
【００１３】
本第３発明のタイヤ性能体験装置は、タイヤの種類により旋回時のスキッド特性が異なることを体験することができるタイヤ性能体験装置であって、
種類の異なるタイヤを装着した各車両を走行させるスキッドパッド路面と、該スキッドパッド路面に対する入口位置を指示しかつ規定する入口位置指示部材と、前記スキッドパッド路面からの出口位置を指示しかつ規定する出口位置指示部材と、走行車両のスリップを検出するスリップ検出手段と、同検出されたスリップ状態を表示する表示装置とを有することを特徴とするものである。
【００１４】
本第４発明のタイヤ性能体験装置は、適正空気圧タイヤと低空気圧タイヤとの違いを体験することができるタイヤ性能体験装置であって、
適正空気圧タイヤを装着した車両と低空気圧タイヤを装着した車両に対し、路面上に配設され該車両の走行開始位置を指示しかつ規定するスタート位置指示部材と、前記路面上に配設され走行中の前記車両に制動開始位置を指示しかつ規定する制動開始位置指示部材と、前記路面上に配設されスラローム走行を指示しかつ規定するスラローム走行指示部材と、前記路面上に配設され８の字走行を指示しかつ規定する８の字走行指示部材と、前記路面上に配設され走行中の前記車両に制動開始位置を指示しかつ規定する制動開始位置指示部材とを順次有することを特徴とするものである。
【発明の効果】
【００１５】
本第１発明によれば、幼児を抱いて車両の助手席または後部座席に搭乗した人が該車両の制動時に受ける衝撃を体験することができる。本第２発明によれば、新品タイヤと摩耗タイヤの制動性の違いを体験することができる。本第３発明によれば、タイヤの種類により旋回時のスキッド特性が異なることを体験することができる。本第４発明によれば、適正空気圧タイヤと低空気圧タイヤとの違いを体験することができる。これにより、本発明の装置の体験者は、タイヤに起因する種々の事故を未然に防止する行動を速やかにとることが可能となる。
【発明を実施するための最良の形態】
【００１６】
本第１発明の好適実施形態であるタイヤ性能体験装置を図１および２に基づき具体的に説明する。このタイヤ性能体験装置は、幼児を抱いて車両の助手席または後部座席に搭乗した人がその車両の制動時に受ける衝撃を体験することができる装置である。なお、図１では、本第１発明のタイヤ性能体験装置を４列並置し、同時に複数の人が体験可能としたものであり、例えば、４チームに分かれての基本的なドライビングレッスンに好適に採用することが可能である。また、車両も、図示するように１のタイヤ性能体験装置に対し複数台配置してもよい。
【００１７】
図１に示すタイヤ性能体験装置においては、供試タイヤを装着した車両１０に対し、この車両１０の走行開始位置を指示しかつ規定するスタート位置指示部材１と、路面上に配設され走行中の車両１０に制動開始位置を指示しかつ規定する制動開始位置指示部材２とを路面上に配設する。スタート位置指示部材１および制動開始位置指示部材２としては、道路工事等で使用されるパイロンを好適に使用することができ、また、その個数も各指示部材で適宜選定することができ、特に制限されるべきものではない。また、図示するように、パイロン３を車両走行コースに適宜配置し、走行するコースを指示することが好ましい。
【００１８】
車両１０の助手席に搭乗し、幼児を抱いているときの制動時の衝撃を体験しようとする人には、図２に示すように、幼児型人形４、好ましくは、１歳児相当の質量を有する幼児型人形４を抱かせる。幼児型人形４の素材等については特に制限されるべきものではないが、実際の幼児を抱いているときの感触を持たせるためにベビー服を着用させておくことが好ましい。
【００１９】
かかる幼児型人形４を抱いた人５が車両１０の助手席に搭乗したら、車両１０をスタート位置指示部材１の地点より加速し、例えば、時速６０ｋｍ／時を目安にスピードを合わせる。次いで、制動開始位置指示部材２の地点にて急制動をかける。スタート位置指示部材１と制動開始位置指示部材２との間の距離は、車両１０が時速６０ｋｍにスピードアップするに十分な距離とする。
【００２０】
急制動時、車両１０のドライバーは強くペダルを踏み続けることを心がけ、ペダルの踏力を緩めないようにする。必ず停止するまで踏力を緩めないことで、強い制動を得ることができる。これにより、幼児型人形４を抱いて車両の助手席または後部座席に搭乗した人５は、幼児を抱いているときと同じ制動時の強い衝撃を体験することができる。尚、ドライバーの判断にて、ブレーキの開始位置、速度は適宜変更してもよい。この理由は、制動開始位置、速度を被体験者が認知した場合、幼児型人形４を強く抱いてしまい、体験効果が不十分となるため、ドライバーの判断によりブレーキの開始位置を適宜変更することが被体験者への効果を高める上で好ましい場合があるからである。停止した後は、車両１０を再スタートさせ、誘導員の指示に従いスタート位置指示部材１の場所に戻すことにより同様の制動体験を繰り返し行うことができる。
【００２１】
本第２発明の好適実施形態であるタイヤ性能体験装置を図３に基づき具体的に説明する。このタイヤ性能体験装置は、路面、特には濡れた路面（ウエット路面）において新品タイヤと摩耗タイヤの制動性の違いを体験することができる装置である。路面を濡れた路面とすることで制動性の違いをより一層強く体感することができる。なお、図３では、本第２発明のタイヤ性能体験装置に隣接してハイドロプレーニング体験路面２５が設けられている。
【００２２】
本第２発明では、先ず、図３に示すように、新品タイヤを装着した車両２０Ａに対し、この車両２０Ａの走行開始位置を指示しかつ規定するスタート位置指示部材２１と、走行中の車両２０Ａに制動開始位置を指示しかつ規定する制動開始位置指示部材２２とを路面上に配設する。車両２０ＡにはＧセンサー（図示せず）を配備し、このＧセンサーに基づき制動時の制動距離を計測する。このＧセンサーは車両配備用の市販のものを採用することができ、特に制限されるべきものではない。計測された車両２０Ａの制動距離は無線にて、路面に沿って設けられた乗り換え場所２４内の表示手段、例えば、パソコンのディスプレイ（図示せず）に送信され、表示される。
【００２３】
試乗者が搭乗したら、車両２０Ａをスタート位置指示部材２１の地点より加速し、例えば、濡れた路面に対し時速８０ｋｍ／時を目安にスピードを合わせる。次いで、制動開始位置指示部材２２の地点にて急制動をかける。このとき、スタート位置指示部材２１と制動開始位置指示部材２２との間の距離は、車両２０Ａが時速８０ｋｍにスピードアップするに十分な距離とする。また、図示するように、パイロン２３を車両走行コースに適宜配置し、走行するコースを指示しておくことが好ましい。
【００２４】
新品タイヤの制動性を体験した試乗者は、次いで、摩耗タイヤを装着した車両２０Ｂに乗り換え、新品タイヤを装着した車両２０Ａのときと同様の制動体験試験を行う。摩耗タイヤを装着した車両２０ＢにもＧセンサーを配備し、このＧセンサーに基づき制動時の制動距離を計測する。計測された車両２０Ｂはの制動距離は先と同様の表示手段に送信され、この表示手段では摩耗タイヤの制動距離とともに、先の新品タイヤを装着した車両２０Ａとの制動距離の差が表示される。  
【００２５】
また、試乗後、かかる表示手段の表示内容を図４に示すようにプリントアウトして試乗者が持ち帰りできるようにしてもよい。これにより、試乗者は新品タイヤと摩耗タイヤの制動性の違いの体験とともに、実際にその制動距離の差を十分に認識することができる。
【００２６】
図３に示す試乗コースでは、本第２発明のタイヤ性能体験装置と隣接してハイドロプレーニング体験路面２５が設けられているので、このハイドロプレーニング体験路面２５においても新品タイヤと摩耗タイヤのハイドロプレーニングの発生状況の違いを体験することができる。
【００２７】
本第３発明の好適実施形態であるタイヤ性能体験装置を図５に基づき具体的に説明する。このタイヤ性能体験装置は、タイヤの種類により旋回時のスキッド特性が異なることを体験することができる装置である。
【００２８】
本第３発明では、先ず、図５に示すように、試験タイヤを装着した車両３０Ａを走行させるスキッドパッド路面３１を配設し、さらにスキッドパッド路面３１に対し、車両３０Ａの入口位置を指示しかつ規定する入口位置指示部材３２と、スキッドパッド路面３１からの出口位置を指示しかつ規定する出口位置指示部材３３とを配設する。なお、スキッドパッド路面３１は、散水して濡れた路面としておくことで、よりタイヤの種類の違いを体感することができる。
【００２９】
待機テント３５内にてチーフインストラクターによるスキッドパッド体験説明を受けた試乗者は、インストラクターの同乗により車両３０Ａにてスキッドパッド路面上を走行する。走行の目印として、スキッドパッド路面３１の内周に沿って適宜間隔でパイロン３４を配置しておくことが好ましく、かかるパイロン３４に沿ってハンドルを切り、徐々に加速を行い、ハンドル、アクセルの操作でタイヤの反応を体験する。例えば、３周回を走行し、４周回目にアウトよりコース外に出て終了とする。試乗者は、同乗のインストラクターによりコースイン、アウトの指示を受ける。
【００３０】
次いで、試乗者は待機テント３５前で最初のタイヤと種類（銘柄）の異なるタイヤを装着した車両３０Ｂに乗り換え、最初の試験タイヤを装着した車両３０Ａのときと同様の走行体験試験を行う。
【００３１】
車両３０Ａおよび３０Ｂはスリップ検出手段と、検出されたスリップ状態を表示するモニタ型の表示装置（図示せず）が搭載されており、検出された走行車両３０Ａおよび３０Ｂのスリップ状況が表示され、スリップ状況が瞬時に分かるようにしておく。かかるスリップ検出は、例えば、以下のようにして行われる。
【００３２】
即ち、タイヤのホイール又はアクスルシャフトに配設された車輪速センサを使用し、駆動輪の車輪側センサ検出値である駆動輪回転数と従動輪の車輪速センサ検出値である従動輪回転数の差に基づき、差が所定値以上大きいとき、回転数の小さい方の車輪がスリップして検出される。あるいはまた、車速と変速機のギヤ比から理論回転数を算出し、実回転数と比較することにより検出される。
【００３３】
本第４発明の好適実施形態であるタイヤ性能体験装置を図６に基づき具体的に説明する。このタイヤ性能体験装置は、適正空気圧タイヤと低空気圧タイヤとの違いを体験することができる装置である。
【００３４】
本第４発明では、先ず、図６に示すように、適正空気圧タイヤを装着した車両４０Ａに対し、この車両４０Ａの走行開始位置を指示しかつ規定するスタート位置指示部材４１と、走行中の車両４０Ａに制動開始位置を指示しかつ規定する制動開始位置指示部材４２と、スラローム走行を指示しかつ規定するスラローム走行指示部材４３と、８の字走行を指示しかつ規定する８の字走行指示部材４４と、走行中の車両４０Ａに制動開始位置を指示しかつ規定する制動開始位置指示部材４５とを路面上に順次配設する。また、図示するように、パイロン４６を車両走行コースに適宜配置し、走行するコースを分かりやすくしておくことが好ましい。
【００３５】
車両４０Ａに試乗者が搭乗したら、車両４０Ａをスタート位置指示部材４１の地点よりスターとさせ加速した後、制動開始位置指示部材４２の地点にて急制動をかける。このとき、スタート位置指示部材４１と制動開始位置指示部材４２との間の距離は、車両４０Ａが少なくとも時速４０ｋｍにスピードアップするに十分な距離とする。
【００３６】
次いで、停止した車両４０Ａを再スタートさせ、スラローム走行を指示しかつ規定するスラローム走行指示部材４３に従いスラローム走行させた後、停止することなく８の字走行を指示しかつ規定する８の字走行指示部材４４に従い８の字走行させる。８の字走行の一対の指示部材４４間の距離は、好ましくは３０ｍ程度とする。
【００３７】
８の字走行を２周回走行させた後、停止することなく車両４０Ａに制動開始位置を指示しかつ規定する制動開始位置指示部材４５まで加速し、当該部材４５にて減速停止させる。試乗者は、インストラクターによる同乗走行でコースを予め覚えておくようにする。また、試乗者は、同乗のインストラクターによりコースインと８の字旋回回数について指示を受けるようにする。
【００３８】
適正空気圧タイヤの体験後、試乗者は、引き続いて適正空気圧に対し空気圧を半分程度に低減させたタイヤを装着した車両４０Ｂに乗り換え場所４７にて乗り換え、新品タイヤを装着した車両４０Ａのときと同様の体験試験を行う。
【００３９】
スラローム走行および８の字旋回走行ではハンドルの重さ、舵角時のタイヤ音などで空気圧の低下を試乗者に理解させる。また、試乗後にタイヤ面に手を当て温度の違いも確認させる。さらに、タイヤサイドの路面との干渉を確認させるなどして、低空気圧タイヤを試乗者に十分に認識させる。
【産業上の利用可能性】
【００４０】
本第１〜４発明は、基本的なドライビングレッスンであるフルブレーキ訓練、各種点検講習（タイヤの点検と交換、燈火類の点検、ガソリンの残量確認）およびドライビングポジションの確認とともに、例えば、複数チームに分かれての試乗レッスンに好適に採用することができる。
【図面の簡単な説明】
【００４１】
【図１】本第１発明の好適実施形態を模式的に示す説明図である。
【図２】試乗者が幼児型人形を抱いた状態を示す説明図である。
【図３】本第２発明の好適実施形態を模式的に示す説明図である。
【図４】新品タイヤと摩耗タイヤの制動性に関するデータについてプリントアウトされた内容を示す正面図である。
【図５】本第３発明の好適実施形態を模式的に示す説明図である。
【図６】本第４発明の好適実施形態を模式的に示す説明図である。
【符号の説明】
【００４２】
１０，２０Ａ，２０Ｂ，３０Ａ，３０Ｂ，４０Ａ，４０Ｂ  車両
１  スタート位置指示部材
２  制動開始位置指示部材
３  パイロン
４  幼児型人形
５  人
２１  スタート位置指示部材
２２  制動開始位置指示部材
２３  パイロン
２４  乗り換え場所
２５  ハイドロプレーニング体験路面
３１  スキッドパッド路面
３２  入口位置指示部材
３３  出口位置指示部材
３４  パイロン
３５  待機テント
４１  スタート位置指示部材
４２  制動開始位置指示部材
４３  スラローム走行指示部材
４４  ８の字走行指示部材
４５  制動開始位置指示部材
４６  パイロン
４７  乗り換え場所
【図１】
2006200996.tif 000003
【図２】
2006200996.tif 000004
【図３】
2006200996.tif 000005
【図４】
2006200996.tif 000006
【図５】
2006200996.tif 000007
【図６】
2006200996.tif 000008